(57)【特許請求の範囲】
【請求項１】
平板状のヒータ本体と、
前記ヒータ本体の内部に配設され前記ヒータ本体を加熱して遠赤外線を放射させる発熱体と、
前記ヒータ本体の全面にわたって厚み方向に嵌着された中空状の複数の断熱材と、
前記各断熱材の内部にそれぞれ形成され前記ヒータ本体の全面にわたって穿設された通風穴と
を具備したことを特徴とするはんだ付け用の面状ヒータ。
【請求項２】
通風穴は、円筒状に成形された断熱材の内部に形成された
ことを特徴とする請求項１記載のはんだ付け用の面状ヒータ。
【発明の詳細な説明】
【０００１】
【発明の属する技術分野】
本発明は、例えばリフロー装置などに用いられるはんだ付け用の面状ヒータに関する。
【０００２】
【従来の技術】
従来、リフロー装置などに用いられる加熱手段としては、ワークに対して配列された棒状ヒータまたは面状ヒータの表面から放射される遠赤外線による遠赤外線加熱と、ヒータを通過した熱風による熱風加熱とが併用されている。
【０００３】
棒状ヒータは、複数本配列し、それらの間を通過した熱風をワークに吹付け、また面状ヒータは、その周縁部を迂回させた熱風をワークに吹付け、それぞれのヒータ表面から放射される遠赤外線による遠赤外線加熱と、熱風による熱風加熱とでワークを加熱し、例えばリフロー装置では、はんだ付け用のソルダペーストを溶融するようにしている。
【０００４】
【発明が解決しようとする課題】
これらの従来のヒータでは、ヒータと熱風とが相互に熱干渉し合い、熱風によりヒータの表面温度が降下したり、ヒータにより熱風の温度が上昇する問題が生じている。
【０００５】
また、従来の面状ヒータは、熱風を透過できる形状ではないため、熱風加熱との併用でワークを均一に加熱することが容易でない。
【０００６】
本発明は、このような点に鑑みなされたもので、遠赤外線加熱と熱風加熱との併用性に適するはんだ付け用の面状ヒータを提供することを目的とする。
【０００７】
【課題を解決するための手段】
請求項１に記載された発明は、平板状のヒータ本体と、前記ヒータ本体の内部に配設され前記ヒータ本体を加熱して遠赤外線を放射させる発熱体と、前記ヒータ本体の全面にわたって厚み方向に嵌着された中空状の複数の断熱材と、前記各断熱材の内部にそれぞれ形成され前記ヒータ本体の全面にわたって穿設された通風穴とを具備したはんだ付け用の面状ヒータである。
【０００８】
そして、この面状ヒータによる遠赤外線加熱と、熱風による加熱とを併用する場合、通風穴により熱風を透過させながら、熱風の円滑な流れを確保し、ワークを均一に加熱するとともに、ヒータ本体内の発熱体と通風穴を透過する熱風との相互熱干渉を断熱材により防止する。
【０００９】
請求項２に記載された発明は、請求項１記載のはんだ付け用の面状ヒータにおける通風穴が、円筒状に成形された断熱材の内部に形成されたものである。
【００１０】
そして、この面状ヒータによる遠赤外線加熱と、熱風による加熱とを併用する場合、ヒータ本体内の発熱体と通風穴を透過する熱風との相互熱干渉を、円筒状に成形された断熱材により防止する。
【００１１】
【発明の実施の形態】
以下、本発明の実施の一形態を図１および図２を参照しながら説明する。
【００１２】
図１において、10は面状ヒータを示し、この面状ヒータ10の外形は、平板状のヒータ本体11により形成されている。このヒータ本体11の内部にシーズヒータなどの通電により発熱する発熱体12が配設され、また、ヒータ本体11の全面にわたって、発熱体のない位置に通風穴13が均等分布で穿設されている。
【００１３】
図２に示されるように、ヒータ本体11は、発熱体12と接触して高温に加熱される鉄板などの発熱面板14と、発熱体12と接触しない押え板15とにより形成されている。発熱面板14の下面は、遠赤外線を放射する発熱面14a となっている。
【００１４】
ヒータ本体11の内部、すなわち発熱面板14と押え板15との間には断熱材16が充填されている。この断熱材16は、発熱体12と押え板15との間にも介在されている。
【００１５】
ヒータ本体11には、カラー状に成形された断熱材17が嵌着されており、この断熱材17は、ヒータ本体11の厚みと等しい長さに形成された円筒部18と、押え板15の上面に係合されたフランジ部19とからなり、円筒部18の内部に通風穴13が形成されている。
【００１６】
つまり、このカラー状の断熱材17の円筒部18により発熱体12と通風穴13とが熱的に遮断されている。なお、通風穴13の穴形状は、図示された円形断面に限られるものではなく、どのような断面形状でも成形可能である。
【００１７】
次に、図１および図２に示された実施形態の作用を説明する。
【００１８】
リフロー炉内で、この面状ヒータ10を用いる場合は、この面状ヒータ10より上流側に送風機およびヒータからなる熱風発生装置（図示せず）を配置し、面状ヒータ10の発熱体12により加熱された発熱面板14の発熱面14a から放射される遠赤外線21による加熱と、上記熱風発生装置より供給された熱風22による加熱とを、この面状ヒータ10の下側に位置する部品実装基板などのワーク（図示せず）に対して併用する。
【００１９】
このような加熱にてリフローはんだ付けを行う場合、熱風22の温度は２５０〜３００℃程度であるのに対し、遠赤外線21の温度は５００℃程度になる。
【００２０】
この併用加熱の場合、通風穴13により熱風を透過させることにより、面状ヒータ10が熱風の障害物となることを防ぎ、熱風の円滑な流れを確保し、ワークを均一に加熱する。
【００２１】
さらに、発熱体12と通風穴13を透過する熱風との相互熱干渉をヒータ本体11内の断熱材16および円筒状の断熱材17により防止する。
【００２２】
すなわち、発熱体12から生じた熱は、この発熱体12と接触する発熱面板14のみに伝わり、熱風が衝突する押え板15および熱風が透過する通風穴13内には伝わらないので、熱風の温度が発熱体12から生じた熱で上昇することを防止できるとともに、熱風により発熱面板14の表面温度が降下することを防止できる。
【００２３】
また、リフローの対象となるワークに応じて、遠赤外線21による加熱と、熱風22による加熱とを容易に調整できる。
【００２４】
例えば、ワークとしてのプリント配線基板にソルダペーストを介して搭載された集積回路などの実装部品の材質または色による遠赤外線の吸収率や、熱風を受ける形状などに応じて、遠赤外線加熱と熱風加熱とのバランスを容易に調整できる。
【００２５】
面状ヒータ10の通風穴13は、場合によっては冷風の通路としても良い。例えば、この面状ヒータ10がワークの上側および下側の両方に配置されている場合は、上側の面状ヒータ10に下向きの熱風を通してワークの上面をリフロー加熱しながら、通電停止された下側の面状ヒータ（図示せず）に上向きの冷風を通してワークの下面を冷却することにより、ワークの下面にはんだ付けされた実装部品のはんだ再溶融による脱落を防止する用い方もできる。
【００２６】
次に、図３は、本発明の実施の他の形態を示す。この実施形態は、それぞれ独立して通電可能の複数の発熱体12a ，12b が一つのヒータ本体11内に組込まれたものである。
【００２７】
このように、内部の発熱体12a ，12b の構成を分けることにより、同一の面状ヒータ10にて局部的に遠赤外線加熱のオン・オフ選択または強・弱の選択が可能となる。
【００２８】
例えば、ワークの幅寸法が小さいときは、ワークからはみ出した片側の発熱体12a または12b への通電を停止して、片側の遠赤外線加熱を行わない。
【００２９】
さらに、ワークの場所によって基板実装部品の実装密度や熱容量が異なる場合は、それと対応して発熱体12a または12b に通電される電流値も別々に制御し、異なる温度の遠赤外線加熱を行うと良い。
【００３０】
なお、これらの面状ヒータ10は、リフロー装置に用途を限定されるものではなく、例えば、噴流式はんだ付け装置のプリヒータなどとしても用いることが可能である。
【００３１】
【発明の効果】
請求項１記載の発明によれば、平板状のヒータ本体の内部に発熱体が配設され、ヒータ本体の全面にわたって通風穴が穿設された面状ヒータであるから、この面状ヒータによる遠赤外線加熱と、熱風による加熱とを併用する場合、通風穴により熱風を透過させることにより、熱風の円滑な流れを確保して、熱風が面状ヒータを迂回する場合よりもワークを均一に加熱でき、熱風加熱との併用性に適する。特に、通風穴が、断熱材の内部に形成されたから、面状ヒータによる遠赤外線加熱と、熱風による加熱とを併用する場合、発熱体と通風穴を透過する熱風との相互熱干渉を断熱材により防止でき、例えば、熱風による発熱体温度の降下および発熱体による熱風温度の上昇を共に防止できる。
【００３２】
請求項２記載の発明によれば、通風穴が、円筒状に成形された断熱材の内部に形成されたから、面状ヒータによる遠赤外線加熱と、熱風による加熱とを併用する場合、発熱体と通風穴を透過する熱風との相互熱干渉を断熱材により防止でき、例えば、熱風による発熱体温度の降下および発熱体による熱風温度の上昇を共に防止できる。
【図面の簡単な説明】
【図１】  本発明に係るはんだ付け用の面状ヒータの実施の一形態を示す平面図である。
【図２】  同上面状ヒータの拡大された断面図である。
【図３】  本発明に係るはんだ付け用の面状ヒータの実施の他の形態を示す平面図である。
【符号の説明】
11    ヒータ本体
12    発熱体
13    通風穴
17    断熱材
【図１】
0003936452.tif 000002
【図２】
0003936452.tif 000003
【図３】
0003936452.tif 000004